(57)【要約】【課題】ＩＥＥＥ１３９４規格に準拠した電子機器であって、ＩＥＥＥ１３９４シリアルバスを介して接続されているＩＥＥＥ１３９４規格に準拠した他の電子機器に対してサービスを提供する電子機器において、電源がＯＦＦになることに伴ってサービスの提供を停止するとき、他の電子機器がサービスの提供が停止されていることを比較的即座に知ることができるようにすること。【解決手段】ＩＥＥＥ１３９４規格に準拠した電子機器であって、ＩＥＥＥ１３９４シリアルバスを介して接続されているＩＥＥＥ１３９４規格に準拠した他の電子機器に対してサービスを提供する電子機器において、前記サービスを提供することを停止するとき、前記サービスに係る情報をコンフィグレーションＲＯＭから削除して、バスリセット信号を送信することを特徴とする電子機器。【選択図】    図３
2004193862.tif 000002
【特許請求の範囲】
【請求項１】
シリアルバスを介して接続されている他の電子機器に対してサービスを提供する電子機器において、
前記サービスを提供することを停止するとき、前記サービスに係る情報をコンフィグレーションＲＯＭから削除して、バスリセット信号を送信することを特徴とする電子機器。
【請求項２】
シリアルバスを介して接続されている他の電子機器に対してサービスを提供する電子機器において、
前記サービスを提供することを停止するとき、バスリセット信号を送信して、リンク層の存在を示すビットを０にセットした自己認識パケットを送信することを特徴とする電子機器。
【請求項３】
ＩＥＥＥ１３９４規格に準拠した電子機器であって、ＩＥＥＥ１３９４シリアルバスを介して接続されているＩＥＥＥ１３９４規格に準拠した他の電子機器に対してサービスを提供する電子機器において、
前記サービスを提供することを停止するとき、前記サービスに係る情報をコンフィグレーションＲＯＭから削除して、バスリセット信号を送信することを特徴とする電子機器。
【請求項４】
ＩＥＥＥ１３９４規格に準拠した電子機器であって、ＩＥＥＥ１３９４シリアルバスを介して接続されているＩＥＥＥ１３９４規格に準拠した他の電子機器に対してサービスを提供する電子機器において、
前記サービスを提供することを停止するとき、バスリセット信号を送信して、リンク層の存在を示すビットを０にセットした自己認識パケットを送信することを特徴とする電子機器。
【請求項５】
物理層コントローラのレジスタの操作により、前記自己認識パケット内のリンク層の存在を示すビットを０にセットすることを特徴とする請求項２又は４に記載の電子機器。
【請求項６】
物理層コントローラのＬＰＳ端子の操作により、前記自己認識パケット内のリンク層の存在を示すビットを０にセットすることを特徴とする請求項２又は４に記載の電子機器。
【請求項７】
前記サービスとして、プリントサービス、ファクシミリサービス、スキャンサービスの内の１個または２個以上を提供することを特徴とする請求項１乃至６のいずれか１項に記載の電子機器。
【発明の詳細な説明】
【０００１】
【発明の属する技術分野】
本発明は、電子機器に関する。
【０００２】
【従来の技術】
ＩＥＥＥ１３９４規格は、デジタルデータ通信用のシリアルバス規格である。ＩＥＥＥ１３９４規格は、１９９５年に「ＩＥＥＥ１３９４−１９９５規格」として承認され、これを明確化するための「Ｐ１３９４ａ規格」や「Ｐ１３９４ｂ規格」についても検討されている。なお、ＩＥＥＥ１３９４規格に係るシリアルバスは「ＩＥＥＥ１３９４シリアルバス」と呼ばれる。
【０００３】
図１は、ＩＥＥＥ１３９４規格に係るシステムを表す。ノード１１はＩＥＥＥ１３９４規格に準拠した電子機器であり、シリアルバス１２（ＩＥＥＥシリアルバス）はＩＥＥＥ１３９４規格に準拠したケーブルである。すなわち、電子機器同士がケーブルを介して接続されている。なお、上記ケーブルの接続端子は「４ピン」「６ピン」等のコネクタである。
【０００４】
図２は、ＩＥＥＥ１３９４規格に係るプロトコルを表す。ＩＥＥＥ１３９４規格に係るプロトコルは、物理層２１と、リンク層２２と、トランザクション層２３と、上記３層を管理するシリアルバス管理２５により構成される。物理層２１とリンク層２２はハードウェアであり、トランザクション層２３とシリアルバス管理２５はファームウェアである。なお、上記３層の上位層としてアプリケーション層２４が存在する。
【０００５】
物理層２１は「バス初期化」「ツリー認識」「自己認識」等のバスリセットの際のバスコンフィグレーションに係る処理や「アービトレーション」等のパケット転送の際のバス獲得に係る処理などに関与する。リンク層２２は「アイソクロナス転送」「アシンクロナス転送」「非同期ストリーム」等のパケット転送に係る処理などに関与する。トランザクション層２３は「Ｒｅａｄ」「Ｗｒｉｔｅ」「Ｌｏｃｋ」等の命令に係る処理などに関与する。
【０００６】
アプリケーション層２４については、ＩＥＥＥ１３９４−１９９５規格では規格化されていない。そのため、アプリケーション層２４については、例えば「ＳＢＰ２規格」や「ＳＢＰ３規格」として規格化されている。ＳＢＰ２規格では、イニシエータ（命令を出すノード）やターゲット（命令を受けるノード）に係る処理などについて規格化されている。
【０００７】
シリアルバス管理２５は、バスマネージャと、アイソクロナスリソースマネージャと、ノードコントローラにより構成される。バスマネージャは「トポロジマップの提供」「スピードマップの提供」等のバス管理を行う。アイソクロナスリソースマネージャは「アイソクロナス帯域の割付」「チャネル番号の割付」等のアイソクロナス資源管理を行う。ノードコントローラはノード制御を行う。
【０００８】
最後にＩＥＥＥ１３９４規格の利点を挙げる。第１の利点として、アイソクロナス転送による「リアルタイム性の保証」が挙げられる。第２の利点として、電源をＯＮにしたままで抜き挿しできるという「Ｈｏｔ＿Ｐｌｕｇ＿Ｉｎ」が挙げられる。第３の利点として、抜き挿しに応じてバスコンフィグレーションが自動的に実行されるという「Ｐｌｕｇ＿＆＿Ｐｌａｙ」が挙げられる。
【０００９】
【発明が解決しようとする課題】
ここで、ＩＥＥＥ１３９４規格に準拠した電子機器であって、ＩＥＥＥ１３９４シリアルバスを介して接続されているＩＥＥＥ１３９４規格に準拠した他の電子機器に対してサービスを提供する電子機器について考察する。
【００１０】
バスに接続されている電子機器の電源をＯＦＦにすると、その電子機器から他の電子機器へのサービス提供は停止されることになる。しかし、電源をＯＦＦにした電子機器はバスリセット信号を送信できないため、バスリセットが実行されず、バスコンフィグレーションが実行されない。そのため、バスに接続されている他の電子機器は、電源をＯＦＦにした電子機器からのサービス提供が停止されていることを即座には知ることができないという問題がある。
【００１１】
この問題を解決する発明として、特開２００１−１６０８０６には、電源をＯＦＦにする前にバスリセット信号を送信するための発明が記載されている。当該文献の記載によると、電源をＯＦＦにする前にバスリセット信号を送信しておけば、これによりバスリセットが実行されてバスコンフィグレーションが実行されることから、他の電子機器はサービス提供が停止されていることを確実に知ることができるとのことである。
【００１２】
ここで、ある電子機器が提供するサービスの存在等を他の電子機器が知る手段は、「バスリセット」「バスの初期化」「ツリー認識」「自己認識」に引き続いて実行する「コンフィグレーションＲＯＭの読み出し」である。各電子機器が自己のコンフィグレーションＲＯＭに「サービスに係る情報」を書き込んでおき、他の電子機器がそのコンフィグレーションＲＯＭからその「サービスに係る情報」を読み出すことにより、サービスの存在等を知るのである。
【００１３】
したがって、特開２００１−１６０８０６のように、電源をＯＦＦにする前にバスリセット信号を送信することにより、他の電子機器がサービス提供が停止されていることを知るようにした場合、上述の「コンフィグレーションＲＯＭの読み出し」の際には、他の電子機器がコンフィグレーションＲＯＭから「サービスに係る情報」を読み出すことができないようにしておく必要がある。
【００１４】
ところが、当該文献の記載によると、ＣＰＵが電源ＯＦＦの要求を処理し、ＣＰＵがリンク層コントローラにバスリセット信号の送信要求を出し、リンク層コントローラが物理層コントローラにバスリセット信号の送信要求を送り、その動作完了の確認後に電源ＯＦＦの要求を許可するとされている。
【００１５】
そのため、バスリセット信号の送信から電源のＯＦＦまでに時間がかかると、その間に、他の電子機器がコンフィグレーションＲＯＭから「サービスに係る情報」を読み出すことができてしまうため、他の電子機器はサービス提供が継続されていると誤認してしまう。
【００１６】
ちなみに、ＩＥＥＥ１３９４規格の実装規格であるＯｐｅｎＨＣＩ規格に準拠した電子機器においては、コンフィグレーションＲＯＭからの読み出しは全てリンク層コントローラ内のＤＭＡコンテキストにより処理させるため、リンク層コントローラに電力が供給されている限り、コンフィグレーションＲＯＭからの読み出しは可能である。バスリセット信号の送信完了は、通常、リンク層コントローラを経由しなければ実行できないため、それより前にリンク層コントローラの電源のみをＯＦＦにすることもできない。
【００１７】
なお、バスリセット信号の送信からコンフィグレーションＲＯＭの読み出しまでの時間は数ミリ秒程度であるため、他の電子機器が「サービスに係る情報」を読み出すことができないようにしておく必要は、実際的な観点から言っても十分あると言える。しかし、リンク層コントローラへの電力供給停止までの時間等は各電子機器の設計に依存しており、リンク層コントローラへの電力供給停止までの時間等を速める確実な手段はないと言える。
【００１８】
仮に、他の電子機器が「サービスに係る情報」を読み出すことができないようにしておくことができたとしても、別の問題が存在する。他の電子機器が「サービスに係る情報」を読み出そうとしてくるために、バス上に無駄な非同期リードトランザクションが発生してしまうという問題である。読み出し失敗に続いて読み出しリトライが発生することが、バスの帯域の無駄な消費を招いてしまう。
【００１９】
したがって、本発明は、シリアルバスを介して接続されている他の電子機器に対してサービスを提供する電子機器において、電源がＯＦＦになることに伴ってサービスの提供を停止するとき、他の電子機器がサービスの提供が停止されていることを比較的即座に知ることができるようにすることを課題とする。
【００２０】
特に、本発明は、ＩＥＥＥ１３９４規格に準拠した電子機器であって、ＩＥＥＥ１３９４シリアルバスを介して接続されているＩＥＥＥ１３９４規格に準拠した他の電子機器に対してサービスを提供する電子機器において、電源がＯＦＦになることに伴ってサービスの提供を停止するとき、他の電子機器がサービスの提供が停止されていることを比較的即座に知ることができるようにすることを課題とする。
【００２１】
【課題を解決するための手段】
請求項１に記載の発明（電子機器）は、シリアルバスを介して接続されている他の電子機器に対してサービスを提供する電子機器において、前記サービスを提供することを停止するとき、前記サービスに係る情報をコンフィグレーションＲＯＭから削除して、バスリセット信号を送信することを特徴とする。
【００２２】
請求項２に記載の発明（電子機器）は、シリアルバスを介して接続されている他の電子機器に対してサービスを提供する電子機器において、前記サービスを提供することを停止するとき、バスリセット信号を送信して、リンク層の存在を示すビットを０にセットした自己認識パケットを送信することを特徴とする。
【００２３】
請求項３に記載の発明（電子機器）は、ＩＥＥＥ１３９４規格に準拠した電子機器であって、ＩＥＥＥ１３９４シリアルバスを介して接続されているＩＥＥＥ１３９４規格に準拠した他の電子機器に対してサービスを提供する電子機器において、前記サービスを提供することを停止するとき、前記サービスに係る情報をコンフィグレーションＲＯＭから削除して、バスリセット信号を送信することを特徴とする。
【００２４】
請求項４に記載の発明（電子機器）は、ＩＥＥＥ１３９４規格に準拠した電子機器であって、ＩＥＥＥ１３９４シリアルバスを介して接続されているＩＥＥＥ１３９４規格に準拠した他の電子機器に対してサービスを提供する電子機器において、前記サービスを提供することを停止するとき、バスリセット信号を送信して、リンク層の存在を示すビットを０にセットした自己認識パケットを送信することを特徴とする。
【００２５】
請求項５に記載の発明（電子機器）は、請求項２又は４に記載の発明（電子機器）に関して、物理層コントローラのレジスタの操作により、前記自己認識パケット内のリンク層の存在を示すビットを０にセットすることを特徴とする。
【００２６】
請求項６に記載の発明（電子機器）は、請求項２又は４に記載の発明（電子機器）に関して、物理層コントローラのＬＰＳ端子の操作により、前記自己認識パケット内のリンク層の存在を示すビットを０にセットすることを特徴とする。
【００２７】
請求項７に記載の発明（電子機器）は、請求項１乃至６のいずれか１項に記載の発明（電子機器）に関して、前記サービスとして、プリントサービス、ファクシミリサービス、スキャンサービスの内の１個または２個以上を提供することを特徴とする。
【００２８】
請求項１又は３に記載の発明（電子機器）では、サービスを提供することを停止するとき、サービスに係る情報をコンフィグレーションＲＯＭから削除して、バスリセット信号を送信することにより、電源がＯＦＦになることに伴ってサービスの提供を停止するとき、他の電子機器がサービスの提供が停止されていることを比較的即座に知ることができる。
【００２９】
請求項２又は４に記載の発明（電子機器）では、サービスを提供することを停止するとき、バスリセット信号を送信して、リンク層の存在を示すビットを０にセットした自己認識パケットを送信することにより、電源がＯＦＦになることに伴ってサービスの提供を停止するとき、他の電子機器がサービスの提供が停止されていることを比較的即座に知ることができる。
【００３０】
【発明の実施の形態】
本発明の実施の形態について説明する。
【００３１】
図３は、ＩＥＥＥ１３９４規格に係るシステムを表す。ノード１１はＩＥＥＥ１３９４規格に準拠した電子機器であり、シリアルバス１２（ＩＥＥＥシリアルバス）はＩＥＥＥ１３９４規格に準拠したケーブルである。
【００３２】
図４は、本発明の実施の形態の例である電子機器４１を表す。図４の電子機器４１は、物理層コントローラ４２と、リンク層コントローラ４３と、ＣＰＵ４４と、コンフィグレーションＲＯＭ４５とを備える。図４の電子機器４１は、図３のシステムを構成するノード１１であって、図３のシステムを構成する他のノード１１に対してサービスを提供する。例えば、プリントサービス、ファクシミリサービス、スキャンサービス等が挙げられる。これらの内の１個を提供しても２個以上を提供してもよい。
【００３３】
図５は、図４のコンフィグレーションＲＯＭ４５内の情報の階層を表す。電子機器４１は、図５におけるＩｎｓｔａｎｃｅ＿ｄｉｒｅｃｔｏｒｙ５１やこれに付随するＦｅａｔｕｒｅ＿ｄｉｒｅｃｔｏｒｙ５３やＫｅｙｗｏｒｄ＿ｌｅａｆ５４を使用して「サービスに係る情報」であるサービスの種類に関する情報（プリントサービス、ファクシミリサービス、スキャンサービス等）を書き込む。また、図５におけるＵｎｉｔ＿ｄｉｒｅｃｔｏｒｙ５２やこれに付随するＦｅａｔｕｒｅ＿ｌｅａｆ５３やＤｅｐｅｎｄｅｎｔ＿ｌｅａｆ５５を使用して「サービスに係る情報」であるサービスを利用するためのプロトコルに関する情報を書き込む。なお、ＩＥＥＥ１３９４規格に準拠した電子機器は、その電子機器内オフセットＦＦＦＦＦ００００４００ｈより１０２４バイトの領域と、その領域からのリンク情報により辿ることができる領域に、コンフィグレーションＲＯＭを有する。
【００３４】
図６は、図５のＢｕｓ＿ｉｎｆｏｒｍａｔｉｏｎ＿ｂｌｏｃｋ５６のフォーマットを表す。自己のコンフィグレーションＲＯＭ４５内の情報を書き換えた電子機器４１は、Ｂｕｓ＿ｉｎｆｏｒｍａｔｉｏｎ＿ｂｌｏｃｋ５６内のｇｅｎｅｒａｔｉｏｎ＿ｆｉｅｌｄ６１の値を書き換え、他の電子機器はこのｇｅｎｅｒａｔｉｏｎ＿ｆｉｅｌｄ６１の値を読み出すことにより、コンフィグレーションＲＯＭ４５内の情報が書き換えられたことを知ることができる。
【００３５】
以下、図３から図６までの設定を前提として各実施例について説明する。
【００３６】
（第１実施例）
第１実施例では、図４の電子機器４１は、電源がＯＦＦになることなどに伴ってサービスの提供を停止することになったとき、まずサービスに係る情報をコンフィグレーションＲＯＭ４５から削除する。ここで削除されるのは、サービスの種類に関する情報や、サービスを利用するためのプロトコルに関する情報や、これら情報に係る親ｄｉｒｅｃｔｏｒｙに書き込まれているリンク情報である。
【００３７】
サービスに係る情報を削除した後、図４の電子機器４１は、ｇｅｎｅｒａｔｉｏｎ＿ｆｉｅｌｄ６１の値を書き換えて、バスリセット信号を送信する。すなわち、ＣＰＵ４４がリンク層コントローラ４３にバスリセット信号の送信要求を出し、リンク層コントローラ４３が物理層コントローラ４２にバスリセット信号の送信要求を送る。これにより、バスリセットが実行される。なお、電源がＯＦＦになることに伴ってサービスの提供を停止する場合においては、バスリセット信号を送信した後に、実際に電源がＯＦＦになる。
【００３８】
バスリセットに引き続いて、図４の電子機器４１のコンフィグレーションＲＯＭ４５から、他の電子機器がｇｅｎｅｒａｔｉｏｎ＿ｆｉｅｌｄ６１の値を読み出す。その際、ｇｅｎｅｒａｔｉｏｎ＿ｆｉｅｌｄ６１の値が書き換えられていることから、当該他の電子機器はコンフィグレーションＲＯＭ４５内の情報が書き換えられたことを知ることができる。これにより、当該他の電子機器は、図４の電子機器４１についての「サービスに係る情報」を破棄して、新たな「サービスに係る情報」を読み出そうと試みる。しかし、サービスに係る情報は削除されており当然読み出すことができないので、これをもって当該他の電子機器はサービスの提供が停止されていることを知ることができるのである。
【００３９】
なお、第１実施例をＯｐｅｎＨＣＩ規格に準拠した電子機器に適用する場合には、リンク層コントローラへの電力供給停止までの時間を速めずとも、他の電子機器がコンフィグレーションＲＯＭから「サービスに係る情報」を読み出すことができないようにすることができるという利点がある。
【００４０】
また、サービスに係る情報をコンフィグレーションＲＯＭから削除して、バスリセット信号を送信するという動作は、ＩＥＥＥ１３９４規格に準拠した従来の電子機器のファームフェアを改良することで実現可能であるという利点がある。こうすれば、リンク層コントローラや物理層コントローラを改良する場合に比べて、コスト面で有利である。
【００４１】
（第２実施例）
第２実施例では、図４の電子機器４１は、電源がＯＦＦになることなどに伴ってサービスの提供を停止することになったとき、まずバスリセット信号を送信する。すなわち、ＣＰＵ４４がリンク層コントローラ４３にバスリセット信号の送信要求を出し、リンク層コントローラ４３が物理層コントローラ４２にバスリセット信号の送信要求を送る。これにより、バスリセットが実行される。
【００４２】
ここで、図３のようなＩＥＥＥ１３９４規格に係るシステムにおいては、バスリセットが実行された後に自己認識プロセスが実行される。自己認識プロセスにおいて、各電子機器は自己認識パケットを送信する。図７は、自己認識パケットのフォーマットを表す。各電子機器は、この自己認識パケットに基づいてバスコンフィグレーションを実行することになる。
【００４３】
第２実施例では、図４の電子機器４１は、バスリセットの後の自己認識プロセスにおいて、実際にはリンク層コントローラ４３がアクティブであるにもかかわらず、リンク層の存在を示すビットである「Ｌビット」を０（リンク層コントローラ４３がアクティブである場合、通常であればＬビットは１）にセットした自己認識パケットを送信する。なお、電源がＯＦＦになることに伴ってサービスの提供を停止する場合においては、自己認識パケットを送信した後に、実際に電源がＯＦＦになる。
【００４４】
図４の電子機器４１から送信された自己認識パケットは、他の電子機器により受信される。当該他の電子機器は、自己認識パケットのＬビットが０にセットされていることから、図４の電子機器４１のリンク層コントローラ４２はアクティブでないと判断することになる。すなわち、これをもって当該他の電子機器はサービスの提供が停止されていることを知ることができるのである。
【００４５】
ここで、図３のようなＩＥＥＥ１３９４規格に係るシステムにおいては、自己認識プロセスが実行された後にコンフィグレーションＲＯＭの読み出しが実行される。しかし、図４の電子機器４１のコンフィグレーションＲＯＭ４５に関しては、他の電子機器による読み出しが実行されない。ある電子機器のコンフィグレーションＲＯＭの読み出しが実行されるには、その電子機器のリンク層コントローラがアクティブであることが必要となるからである。したがって、図４の電子機器４１のコンフィグレーションＲＯＭ４５の読み出しのための無駄なトランザクションが発生しないという利点がある。
【００４６】
最後に、図４の電子機器４１に関して、自己認識パケット内のＬビットを０にセットする具体的手段の例について説明する。
【００４７】
第１の例としては、バスリセット信号の送信前に物理層コントローラ４２のレジスタを操作することにより、バスリセット信号の送信後に送信される自己認識パケット内のＬビットを０にセットする。例えば、Ｐ１３９４ａ規格に準拠した電子機器に適用する場合には、アドレス４（０１００２）に位置するレジスタのＬＣｔ１ビットを０にセットすればよい。
【００４８】
第２の例としては、バスリセット信号の送信前に物理層コントローラ４２のＬＰＳ（ＬＩＮＫ＿Ｐｏｗｅｒ＿Ｓｔａｔｕｓ）端子を操作することにより、バスリセット信号の送信後に送信される自己認識パケット内のＬビットを０にセットする。ＬＰＳ端子は、リンク層コントローラ４３がアクティブであるか否かを物理層コントローラ４２に知らせるための端子であり、通常はリンク層コントローラ４３の該当する端子（アクティブ信号が出力される端子）に接続される。例えば、このＬＰＳ端子に入力される信号を、リンク層コントローラ４３のアクティブ信号と電源ＯＦＦ要求により非アクティブとなる（電源ＯＦＦ要求の論理ＮＯＴ）信号との論理ＡＮＤにすればよい。
【００４９】
なお、物理層コントローラのレジスタやＬＰＳ端子の操作は、ＩＥＥＥ１３９４規格に準拠した従来の電子機器の物理層コントローラがそのままでも実現可能であるという利点がある。こうすれば、物理層コントローラを改良する場合に比べて、コスト面で有利である。
【００５０】
【発明の効果】
このように、本発明は、シリアルバスを介して接続されている他の電子機器に対してサービスを提供する電子機器において、電源がＯＦＦになることに伴ってサービスの提供を停止するとき、他の電子機器がサービスの提供が停止されていることを比較的即座に知ることができるようにすることを可能にする。
【００５１】
特に、本発明は、ＩＥＥＥ１３９４規格に準拠した電子機器であって、ＩＥＥＥ１３９４シリアルバスを介して接続されているＩＥＥＥ１３９４規格に準拠した他の電子機器に対してサービスを提供する電子機器において、電源がＯＦＦになることに伴ってサービスの提供を停止するとき、他の電子機器がサービスの提供が停止されていることを比較的即座に知ることができるようにすることを可能にする。
【図面の簡単な説明】
【図１】ＩＥＥＥ１３９４規格に係るシステムを表す。
【図２】ＩＥＥＥ１３９４規格に係るプロトコルを表す。
【図３】ＩＥＥＥ１３９４規格に係るシステムを表す。
【図４】本発明の実施の形態の例である電子機器を表す。
【図５】コンフィグレーションＲＯＭ内の情報の階層を表す。
【図６】Ｂｕｓ＿ｉｎｆｏｒｍａｔｉｏｎ＿ｂｌｏｃｋのフォーマットを表す。
【図７】自己認識パケットのフォーマットを表す。
【符号の説明】
１１  ノード
１２  シリアルバス
２１  物理層
２２  リンク層
２３  トランザクション層
２４  アプリケーション層
２５  シリアルバス管理
４１  電子機器
４２  物理層コントローラ
４３  リンク層コントローラ
４４  ＣＰＵ
４５  コンフィグレーションＲＯＭ
５１  Ｉｎｓｔａｎｃｅ＿ｄｉｒｅｃｔｏｒｙ
５２  Ｕｎｉｔ＿ｄｉｒｅｃｔｏｒｙ
５３  Ｆｅａｔｕｒｅ＿ｄｉｒｅｃｔｏｒｙ
５４  Ｋｅｙｗｏｒｄ＿ｌｅａｆ
５５  Ｄｅｐｅｎｄｅｎｔ＿ｌｅａｆ
５６  Ｂｕｓ＿ｉｎｆｏｒｍａｔｉｏｎ＿ｂｌｏｃｋ
６１  ｇｅｎｅｒａｔｉｏｎ＿ｆｉｅｌｄ
【図１】
2004193862.tif 000003
【図２】
2004193862.tif 000004
【図３】
2004193862.tif 000005
【図４】
2004193862.tif 000006
【図５】
2004193862.tif 000007
【図６】
2004193862.tif 000008
【図７】
2004193862.tif 000009